(57)【要約】  指先を良好に温めることができ、しかも、指先に対応した手袋の先端部にカイロを簡単に収容することができる手袋を提供する。内部にカイロを収容可能な収容部２を備えた手袋１であって、手袋本体１１に手を入れた際に指先部分となる当該手袋本体１１の先端部に収容部２が設けられるとともに、この収容部２が手袋本体１１の先端に設けられた開閉手段により手袋本体１１の先端を通じて開閉自在に設けられたものである。開閉手段がファスナ３である。
2007083712.tif 000002
【特許請求の範囲】
【請求項１】
１個又は複数個のカイロを収容するカイロ収容部を手袋本体の内部に備え、この手袋本体内に差し入れられた手の指先部分を前記カイロ収容部内のカイロにより温める手袋であって、
前記手袋本体は、
手の出し入れのための基端開口部と、
この基端開口部に連なり、前記手の掌及び甲を被覆する掌被覆部と、
この掌被覆部に連なり、前記手の親指を被覆する親指被覆部と、
前記掌被覆部に連なり、前記手の人指し指、中指、薬指、及び小指の４本の指を一纏めに被覆する四指被覆部と、
この四指被覆部の先端縁部に形成された先端開口部と、
この先端開口部を開閉する開閉手段と、
を備え、
前記カイロ収容部は、
前記カイロの出し入れのためのカイロ挿入口を有し、前記四指被覆部内であって前記４本の指が差し入れられた際にこれらの指の指先部分が存する部位に配置されるとともに前記カイロ挿入口が前記四指被覆部の先端開口部に配置され、前記カイロ挿入口が前記開閉手段により前記先端開口部とともに開閉される手袋。
【請求項２】
請求項１に記載の手袋において、前記カイロ収容部の外面と前記四指被覆部の爪側の内面との間、及び、前記カイロ収容部の外面と前記四指被覆部の指の腹側の内面との間にそれぞれ前記指先部分の挿入を許容する空間が確保された手袋。
【請求項３】
請求項１に記載の手袋において、
前記カイロ収容部は、
前記四指被覆部の爪側の内面に添設され、１個のカイロを収容する第１室と、
前記四指被覆部の指の腹側の内面に添設され、他の１個のカイロを収容する第２室とを備え、
これら第１室及び第２室との間に前記指先部分の挿入を許容する空間が確保された手袋。
【請求項４】
請求項１に記載の手袋において、
前記カイロ収容部は、
２個のカイロを個々に収容する第１室と第２室とを備え、これら第１室及び第２室は、それぞれ、前記四指被覆部内において爪側の内面及び指の腹側の内面の両面に向かう方向に揺動可能に設けられ、
前記第１室と前記四指被覆部の爪側の内面との間、前記第１室と第２室との間、及び前記第２室と前記四指被覆部の指の腹側の内面との間のいずれかに前記指先部分の挿入を許容する空間が選択的に確保された手袋。
【請求項５】
内部にカイロを収容可能な収容部を備えた手袋であって、
手袋本体に手を入れた際に指先部分となる当該手袋本体の先端部に前記収容部が設けられるとともに、この収容部が手袋本体の先端に設けられた開閉手段により当該手袋本体の先端を通じて開閉自在に設けられた手袋。
【請求項６】
前記開閉手段が、ファスナである請求項１乃至５のいずれか一つに記載の手袋。
【請求項７】
前記開閉手段が、面ファスナである請求項１乃至５のいずれか一つに記載の手袋。
【発明の詳細な説明】
【技術分野】
【０００１】
本発明は、内部にカイロを収容できるようにした手袋に関するものである。
【背景技術】
【０００２】
従来、この種の手袋としては、手袋に手を入れた場合に掌に対応する部分や手の甲に対応する部分に使い捨てカイロを収容することができる収容部を設けたものが提供されている。この従来の手袋は、手袋を装着した際に収容部に収容したカイロによって手を温めたり温かい状態で維持するようにするものであった（例えば、特許文献１参照。）。
【特許文献１】実開昭６２−９７１１９号公報
【発明の開示】
【発明が解決しようとする課題】
【０００３】
ところで、例えばゴルフやバスケットボールなど手を使うスポーツにおいては、プレーする上で指先の感覚が非常に重要であり、冬場などに指先が冷えて感覚が十分でない状態でプレーすると、当該プレーに悪影響を及ぼすことになる。特に、ゴルフなど屋外でするスポーツでは指先が冷えないように十分に注意する必要があった。【０００４】
しかしながら、上記従来の手袋では、内部にカイロを収容することによって掌や手の甲の部分を温めることができるものの、カイロがない部分の指先までは温めることができなかった。【０００５】
本発明は、上記問題点に鑑みてなされたもので、その目的とするところは、指先を良好に温めることができ、しかも、指先に対応した手袋の先端部にカイロを簡単に収容することができる手袋を提供することにある。【０００６】
また本発明は、指先の冷え具合などの状況に応じて指の腹側及び爪側のいずれか一方又はその両方を選択的に温めることのできる手袋を提供することにある。
【課題を解決するための手段】
【０００７】
上記の目的を達成するため、本発明に係る手袋は、１個又は複数個のカイロを収容するカイロ収容部を手袋本体の内部に備え、この手袋本体内に差し入れられた手の指先部分を前記カイロ収容部内のカイロにより温める手袋である。【０００８】
手袋本体は、手の出し入れのための基端開口部と、この基端開口部に連なり、前記手の掌及び甲を被覆する掌被覆部と、この掌被覆部に連なり、前記手の親指を被覆する親指被覆部と、前記掌被覆部に連なり、前記手の人指し指、中指、薬指、及び小指の４本の指を一纏めに被覆する四指被覆部と、この四指被覆部の先端縁部に形成された先端開口部と、この先端開口部を開閉する開閉手段と、を備えている。【０００９】
一方、前記カイロ収容部は、カイロの出し入れのためのカイロ挿入口を有し、前記四指被覆部内であって４本の指が差し入れられた際にこれらの指の指先部分が存する部位に配置されるとともにカイロ挿入口が四指被覆部の先端開口部に配置されている。そして、カイロ挿入口が前記開閉手段により四指被覆部の先端縁部における先端開口部とともに開閉される。【００１０】
本発明の手袋は上記の構成であるから、指先を良好に温めることができる。したがって、厳寒下でも指先の感覚を良好な状態で維持することができる。また、開閉手段を開放することによってカイロ収容部が四指被覆部の先端縁部における先端開口部を通じて開放されるので、本手袋をはめたままであっても、この先端開口部を通じてカイロを容易に出し入れすることができる。【００１１】
上記の手袋においては、カイロ収容部の外面と四指被覆部の爪側の内面との間、及び、カイロ収容部の外面と四指被覆部の指の腹側の内面との間にそれぞれ指先部分の挿入を許容する空間が確保された構成としてもよい。【００１２】
この場合、指先部分を上記した２つの空間のうち、いずれか一方の空間に選択的に差し入れることができるので、指先部分の表裏、つまり爪側と腹側のうち、優先的に温めたい方を直接カイロ収容部の外面に当てることができる。【００１３】
また、上記の手袋においては、カイロ収容部は、四指被覆部の爪側の内面に添設され、１個のカイロを収容する第１室と、四指被覆部の指の腹側の内面に添設され、他の１個のカイロを収容する第２室とを備えたものとし、これら第１室及び第２室との間に指先部分の挿入を許容する空間が確保された構成としてもよい。【００１４】
この場合、第１室に収容されたカイロと、第２室に収容されたカイロの２つのカイロで指先部分が挟持されることになるので、指先部分全体を短時間で温めることができる。【００１５】
また、上記の手袋においては、カイロ収容部は、２個のカイロを個々に収容する第１室と第２室とを備えたものとする。そして、これら第１室及び第２室は、それぞれ、四指被覆部内において爪側の内面及び指の腹側の内面の両面に向かう方向に揺動可能に設けられて、第１室と四指被覆部の爪側の内面との間、第１室と第２室との間、及び第２室と四指被覆部の指の腹側の内面との間のいずれかに指先部分の挿入を許容する空間が選択的に確保された構成としてもよい。【００１６】
この場合、指先部分を上記した３つの空間のうち、いずれか一つの空間に選択的に差し入れることができるので、指先部分の表裏のうちいずれか優先的に温めたい方を第１室又は第２室の外面に当てて温めることも、また、指先部分を第１室と第２室とで挟持し、指先部分全体を温めることもできる。【００１７】
また、上記の手袋においては、前記開閉手段が、ファスナであっても或いは面ファスナであってもよい。【００１８】
この場合、四指被覆部の先端開口部の開閉が簡単なものとなり、本手袋をはめたままでももう片方の手で先端開口部の開閉を行うことができる。【００１９】
尚、本発明において、カイロとは、例えば、不織布や紙の袋に空気中で酸化発熱する鉄粉を入れた、いわゆる使い捨てカイロや、プラチナの触媒作用を利用して気化したベンジンをゆっくりと酸化発熱させる、いわゆる白金触媒式カイロなど、現在市場において広く出回り、入手が容易なものであって、カイロ収容部に収容可能な形態のものとされる。
【発明の効果】
【００２０】
本発明の手袋によれば、指先を良好に温めることができ、指先の感覚を良好な状態で維持することができる。また、開閉手段を開放することによって収容部が先端を通じて開放され、この先端開口を通じてカイロを容易に出し入れすることができる。
【図面の簡単な説明】
【００２１】
【図１】本発明の手袋を示す斜視図である。
【図２】同じく手袋を示す断面図である。
【図３】先端を開放させた状態の手袋を示す斜視図である。
【図４】図２に示す手袋の使用状態を示し、（ａ）は指先部分の腹側をカイロ収納部に当てた状態を示す断面図、（ｂ）は指先部分の爪側をカイロ収容部に当てた状態を示す断面図である。
【図５】本発明の他の実施の形態に係る手袋を示す断面図である。
【図６】本発明のさらに他の実施の形態に係る手袋を示し、（ａ）は指先部分をカイロ収容部の第１室と第２室との間に差し入れた状態を示す断面図、（ｂ）は指先部分の腹側をカイロ収納部の第１室に当てた状態を示す断面図、（ｃ）は指先部分の爪側をカイロ収容部の第２室に当てた状態を示す断面図である。
【符号の説明】
【００２２】
１  手袋
１１  手袋本体
１２  基端開口部
１３  親指被覆部
１４  四指被覆部
１４ａ  先端縁部
１４ｂ  先端開口部
１５  掌被覆部
２  カイロ収容部
２ａ  カイロ挿入口
２１，２５  第１室
２２，２６  第２室
３  ファスナ（開閉手段）
Ｓ１，Ｓ２，Ｓ３，Ｓ５，Ｓ６，Ｓ７  空間
【発明を実施するための最良の形態】
【００２３】
以下、本発明の実施の形態について図面を参照して説明する。【００２４】
図１は、本発明の手袋１を示している。【００２５】
この手袋１の手袋本体１１は、手の出し入れのための基端開口部１２と、この基端開口部１２に連なり、手の掌及び甲を被覆する掌被覆部１５と、この掌被覆部１５に連なり、手の親指を被覆する親指被覆部１３と、掌被覆部１５に連なり、手の人指し指、中指、薬指、及び小指の４本の指を一纏めに被覆する四指被覆部１４とを備えた、いわゆるミトンタイプの手袋である。この手袋本体１１は、保温性に優れた素材で作製されており、必要に応じて防水性も確保するようにして後述するカイロによる保温効果を十分に発揮できるようにしている。【００２６】
上記四指被覆部１４には、図２に示すようにその先端から途中部に亘ってカイロ収容部２が内蔵されている。このカイロ収容部２は、使い捨てカイロ等の保温具を収容するように袋状に形成されており、カイロの温もりが指先に伝わり易いように、例えばメッシュの生地を用いて作製されている。【００２７】
このカイロ収容部２は、四指被覆部１４の先端縁部１４ａとともに開閉自在に構成されている。具体的には、カイロ収容部２にはカイロ挿入口２ａが形成される一方、四指被覆部１４の先端縁部１４ａには当該先端縁部１４ａに沿って所定長さの先端開口部１４ｂが形成されており、この先端開口部１４ｂに沿ってカイロ挿入口２ａの開口縁が、例えば縫着され、これら両者の開口（カイロ挿入口２ａ及び先端開口部１４ｂ）が、開閉手段としてのファスナ３によって一緒に開閉されるように構成している。従って、ファスナ３を開放することによってカイロ収容部２のカイロ挿入口２ａが先端開口部１４ｂを通じて開放され、この先端開口部１４ｂを通じてカイロＡを容易に出し入れすることができる。【００２８】
このようにして手袋１を構成することで、例えばゴルフにおいて移動中にプレイヤーが本発明の手袋１に手を入れておくことで指先を良好に温めることができ、指先の感覚を良好な状態で維持することができる。すなわち、図４に示すように、この実施の形態の手袋１においては、カイロ収容部２の外面と四指被覆部１４の爪側の内面１４ｃとの間、及び、カイロ収容部２の外面と四指被覆部１４の指の腹側の内面１４ｄとの間にそれぞれ指先部分Ｆの挿入を許容する空間Ｓ１，Ｓ２が確保されている。従って、指先部分Ｆをこれら２つの空間Ｓ１，Ｓ２のうち、いずれか一方の空間Ｓ１（Ｓ２）に選択的に差し入れることができるので、指先部分Ｆの表裏、つまり爪側と腹側のうち、優先的に温めたい方を直接カイロ収容部２の外面に当てることができる。【００２９】
上記の実施の形態にあっては、カイロ収容部２は一室構造であって１個のカイロＡを収納するものであるが、本発明はこれに限定されない。例えば、図５に示すように、カイロ収容部２は、四指被覆部１４の爪側の内面１４ｃに添設され、１個のカイロＡ１を収容する第１室２１と、四指被覆部１４の指の腹側の内面１４ｄに添設され、他の１個のカイロＡ２を収容する第２室２２とを備えたものとし、これら第１室２１及び第２室２２との間に指先部分Ｆの挿入を許容する空間Ｓ３が確保された構成としてもよい。【００３０】
この場合、第１室２１に収容されたカイロＡ１と、第２室２２に収容されたカイロＡ２の２つのカイロＡ１，Ａ２で指先部分Ｆが挟持されることになるので、指先部分Ｆ全体を短時間で温めることができる。【００３１】
また、上記した実施の形態以外にも、例えば図６に示すような構成であってもよい。【００３２】
すなわち、図６に示す手袋においては、カイロ収容部２は、２個のカイロＡ１，Ａ２を個々に収容する第１室２５と第２室２６とを備えたものとし、これら第１室２５及び第２室２６は、それぞれ、四指被覆部１４内において爪側の内面１４ｃ及び指の腹側の内面１４ｄの両面１４ｃ，１４ｄに向かう方向に揺動可能に設けられている。第１室２５と四指被覆部１４の爪側の内面１４ｃとの間、第１室２５と第２室２６との間、及び第２室２６と四指被覆部１４の指の腹側の内面１４ｄとの間のいずれかに指先部分Ｆの挿入を許容する空間Ｓ５，Ｓ６，Ｓ７が選択的に確保された構成とされている。【００３３】
この場合、指先部分Ｆを上記した３つの空間Ｓ５，Ｓ６，Ｓ７のうち、いずれか一つの空間に選択的に差し入れることができるので、指先部分の表裏のうちいずれか優先的に温めたい方を第１室２５又は第２室２６の外面に当てて温めることも、また、指先部分Ｆを第１室２５と第２室２６とで挟持し、指先部分Ｆ全体を温めることもできる。【００３４】
また、上記の手袋においては、開閉手段をファスナ１３としているが、これ以外に、例えば面ファスナを採用してもよい。【００３５】
開閉手段をファスナ１３又は面ファスナとした場合、四指被覆部１４の先端開口部１４ｂの開閉が簡単なものとなり、本手袋１をはめたままでももう片方の手で先端開口部１４の開閉を行うことができる。【００３６】
なお、上述した実施形態は、あくまでも本発明の好適な実施態様を示すものであって、本発明はこれに限定されることなく、その範囲内において種々設計変更可能である。【００３７】
例えば、開閉手段はファスナ３に限らず、先端開口部１４ｂを開閉することができる適宜な構成を採用すればよい。【００３８】
また、手袋本体１１の掌被覆部１５の適当な部位にも他のカイロ収容部を設け、指先と一緒に掌や手の甲を温めるようにしてもよい。【００３９】
また、本発明は、内部にカイロを収容可能なカイロ収容部を備え、手袋本体に手を入れた際に指先部分となる当該手袋本体の先端部にカイロ収容部が設けられるとともに、このカイロ収容部が手袋本体の先端に設けられた開閉手段により当該手袋本体の先端を通じて開閉自在に設けられた手袋であればよいから、上記の実施の形態のようにミトンタイプに限らず、５本の指すべてを一纏まりに被覆する一つの被覆部だけを設けた構成のものであってもよい。
【産業上の利用可能性】
【００４０】
この手袋は、ゴルフやバケットボール以外のスポーツの他、通勤や通学時、登山や釣り、或いは障害者の防寒具などとして広く全般に利用することができる。
【図１】
2007083712.tif 000003
【図２】
2007083712.tif 000004
【図３】
2007083712.tif 000005
【図４】
2007083712.tif 000006
【図５】
2007083712.tif 000007
【図６】
2007083712.tif 000008
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
１個又は複数個のカイロを収容するカイロ収容部を手袋本体の内部に備え、この手袋本体内に差し入れられた手の指先部分を前記カイロ収容部内のカイロにより温める手袋であって、
前記手袋本体は、
手の出し入れのための基端開口部と、
この基端開口部に連なり、前記手の掌及び甲を被覆する掌被覆部と、
この掌被覆部に連なり、前記手の親指を被覆する親指被覆部と、
前記掌被覆部に連なり、前記手の人指し指、中指、薬指、及び小指の４本の指を一纏めに被覆する四指被覆部と、
この四指被覆部の先端縁部に形成された先端開口部と、
この先端開口部を開閉する開閉手段と、
を備え、
前記カイロ収容部は、
前記カイロの出し入れのためのカイロ挿入口を有し、前記四指被覆部内であって前記４本の指が差し入れられた際にこれらの指の指先部分が存する部位に配置されるとともに前記カイロ挿入口が前記四指被覆部の先端開口部に配置され、前記カイロ挿入口が前記開閉手段により前記先端開口部とともに開閉され、
さらに、前記カイロ収容部の外面と前記四指被覆部の爪側の内面との間、及び、前記カイロ収容部の外面と前記四指被覆部の指の腹側の内面との間にそれぞれ前記指先部分の挿入を許容する空間が確保された手袋。
【請求項２】
複数個のカイロを収容するカイロ収容部を手袋本体の内部に備え、この手袋本体内に差し入れられた手の指先部分を前記カイロ収容部内のカイロにより温める手袋であって、
前記手袋本体は、
手の出し入れのための基端開口部と、
この基端開口部に連なり、前記手の掌及び甲を被覆する掌被覆部と、
この掌被覆部に連なり、前記手の親指を被覆する親指被覆部と、
前記掌被覆部に連なり、前記手の人指し指、中指、薬指、及び小指の４本の指を一纏めに被覆する四指被覆部と、
この四指被覆部の先端縁部に形成された先端開口部と、
この先端開口部を開閉する開閉手段と、
を備え、
前記カイロ収容部は、
前記カイロの出し入れのためのカイロ挿入口を有し、前記四指被覆部内であって前記４本の指が差し入れられた際にこれらの指の指先部分が存する部位に配置されるとともに前記カイロ挿入口が前記四指被覆部の先端開口部に配置され、前記カイロ挿入口が前記開閉手段により前記先端開口部とともに開閉され、且つ、
２個のカイロを個々に収容する第１室と第２室とを備え、これら第１室及び第２室は、それぞれ、前記四指被覆部内において爪側の内面及び指の腹側の内面の両面に向かう方向に揺動可能に設けられ、
前記第１室と前記四指被覆部の爪側の内面との間、前記第１室と第２室との間、及び前記第２室と前記四指被覆部の指の腹側の内面との間のいずれかに前記指先部分の挿入を許容する空間が選択的に確保された手袋。
【請求項３】
前記開閉手段が、ファスナである請求項１又は２に記載の手袋。
【請求項４】
前記開閉手段が、面ファスナである請求項１又は２に記載の手袋。
【手続補正２】
【補正対象書類名】明細書
【補正対象項目名】全文
【補正方法】変更
【補正の内容】
【発明の詳細な説明】
【技術分野】
【０００１】
本発明は、内部にカイロを収容できるようにした手袋に関するものである。
【背景技術】
【０００２】
従来、この種の手袋としては、手袋に手を入れた場合に掌に対応する部分や手の甲に対応する部分に使い捨てカイロを収容することができる収容部を設けたものが提供されている。この従来の手袋は、手袋を装着した際に収容部に収容したカイロによって手を温めたり温かい状態で維持するようにするものであった（例えば、特許文献１参照。）。
【特許文献１】実開昭６２−９７１１９号公報
【発明の開示】
【発明が解決しようとする課題】
【０００３】
ところで、例えばゴルフやバスケットボールなど手を使うスポーツにおいては、プレーする上で指先の感覚が非常に重要であり、冬場などに指先が冷えて感覚が十分でない状態でプレーすると、当該プレーに悪影響を及ぼすことになる。特に、ゴルフなど屋外でするスポーツでは指先が冷えないように十分に注意する必要があった。
【０００４】
しかしながら、上記従来の手袋では、内部にカイロを収容することによって掌や手の甲の部分を温めることができるものの、カイロがない部分の指先までは温めることができなかった。
【０００５】
本発明は、上記問題点に鑑みてなされたもので、その目的とするところは、指先を良好に温めることができ、しかも、指先に対応した手袋の先端部にカイロを簡単に収容することができる手袋を提供することにある。
【０００６】
また本発明は、指先の冷え具合などの状況に応じて指の腹側及び爪側のいずれか一方又はその両方を選択的に温めることのできる手袋を提供することにある。
【課題を解決するための手段】
【０００７】
上記の目的を達成するため、請求項１の発明に係る手袋は、１個又は複数個のカイロを収容するカイロ収容部を手袋本体の内部に備え、この手袋本体内に差し入れられた手の指先部分を前記カイロ収容部内のカイロにより温める手袋である。
【０００８】
手袋本体は、手の出し入れのための基端開口部と、この基端開口部に連なり、前記手の掌及び甲を被覆する掌被覆部と、この掌被覆部に連なり、前記手の親指を被覆する親指被覆部と、前記掌被覆部に連なり、前記手の人指し指、中指、薬指、及び小指の４本の指を一纏めに被覆する四指被覆部と、この四指被覆部の先端縁部に形成された先端開口部と、この先端開口部を開閉する開閉手段と、を備えている。
【０００９】
一方、前記カイロ収容部は、カイロの出し入れのためのカイロ挿入口を有し、前記四指被覆部内であって４本の指が差し入れられた際にこれらの指の指先部分が存する部位に配置されるとともにカイロ挿入口が四指被覆部の先端開口部に配置されている。そして、カイロ挿入口が前記開閉手段により四指被覆部の先端縁部における先端開口部とともに開閉される。
【００１０】
さらに、上記の手袋においては、カイロ収容部の外面と四指被覆部の爪側の内面との間、及び、カイロ収容部の外面と四指被覆部の指の腹側の内面との間にそれぞれ指先部分の挿入を許容する空間が確保された構成としている。
【００１１】
本発明の手袋は上記の構成であるから、指先を良好に温めることができる。したがって、厳寒下でも指先の感覚を良好な状態で維持することができる。また、開閉手段を開放することによってカイロ収容部が四指被覆部の先端縁部における先端開口部を通じて開放されるので、本手袋をはめたままであっても、この先端開口部を通じてカイロを容易に出し入れすることができる。
【００１２】
また、指先部分を上記した２つの空間のうち、いずれか一方の空間に選択的に差し入れることができるので、指先部分の表裏、つまり爪側と腹側のうち、優先的に温めたい方を直接カイロ収容部の外面に当てることができる。
【００１３】
また、請求項２の発明に係る手袋においては、カイロ収容部は、２個のカイロを個々に収容する第１室と第２室とを備えたものとする。そして、これら第１室及び第２室は、それぞれ、四指被覆部内において爪側の内面及び指の腹側の内面の両面に向かう方向に揺動可能に設けられて、第１室と四指被覆部の爪側の内面との間、第１室と第２室との間、及び第２室と四指被覆部の指の腹側の内面との間のいずれかに指先部分の挿入を許容する空間が選択的に確保された構成としてもよい。
【００１４】
この場合、指先部分を上記した３つの空間のうち、いずれか一つの空間に選択的に差し入れることができるので、指先部分の表裏のうちいずれか優先的に温めたい方を第１室又は第２室の外面に当てて温めることも、また、指先部分を第１室と第２室とで挟持し、指先部分全体を温めることもできる。
【００１５】
また、上記の手袋においては、前記開閉手段が、ファスナであっても或いは面ファスナであってもよい。
【００１６】
この場合、四指被覆部の先端開口部の開閉が簡単なものとなり、本手袋をはめたままでももう片方の手で先端開口部の開閉を行うことができる。
【００１７】
尚、本発明において、カイロとは、例えば、不織布や紙の袋に空気中で酸化発熱する鉄粉を入れた、いわゆる使い捨てカイロや、プラチナの触媒作用を利用して気化したベンジンをゆっくりと酸化発熱させる、いわゆる白金触媒式カイロなど、現在市場において広く出回り、入手が容易なものであって、カイロ収容部に収容可能な形態のものとされる。
【発明の効果】
【００１８】
本発明の手袋によれば、指先を良好に温めることができ、指先の感覚を良好な状態で維持することができる。また、開閉手段を開放することによって収容部が先端を通じて開放され、この先端開口を通じてカイロを容易に出し入れすることができる。
【発明を実施するための最良の形態】
【００１９】
以下、本発明の実施の形態について図面を参照して説明する。
【００２０】
図１は、本発明の手袋１を示している。
【００２１】
この手袋１の手袋本体１１は、手の出し入れのための基端開口部１２と、この基端開口部１２に連なり、手の掌及び甲を被覆する掌被覆部１５と、この掌被覆部１５に連なり、手の親指を被覆する親指被覆部１３と、掌被覆部１５に連なり、手の人指し指、中指、薬指、及び小指の４本の指を一纏めに被覆する四指被覆部１４とを備えた、いわゆるミトンタイプの手袋である。この手袋本体１１は、保温性に優れた素材で作製されており、必要に応じて防水性も確保するようにして後述するカイロによる保温効果を十分に発揮できるようにしている。
【００２２】
上記四指被覆部１４には、図２に示すようにその先端から途中部に亘ってカイロ収容部２が内蔵されている。このカイロ収容部２は、使い捨てカイロ等の保温具を収容するように袋状に形成されており、カイロの温もりが指先に伝わり易いように、例えばメッシュの生地を用いて作製されている。
【００２３】
このカイロ収容部２は、四指被覆部１４の先端縁部１４ａとともに開閉自在に構成されている。具体的には、カイロ収容部２にはカイロ挿入口２ａが形成される一方、四指被覆部１４の先端縁部１４ａには当該先端縁部１４ａに沿って所定長さの先端開口部１４ｂが形成されており、この先端開口部１４ｂに沿ってカイロ挿入口２ａの開口縁が、例えば縫着され、これら両者の開口（カイロ挿入口２ａ及び先端開口部１４ｂ）が、開閉手段としてのファスナ３によって一緒に開閉されるように構成している。従って、図３に示すように、ファスナ３を開放することによってカイロ収容部２のカイロ挿入口２ａが先端開口部１４ｂを通じて開放され、この先端開口部１４ｂを通じてカイロＡを容易に出し入れすることができる。
【００２４】
このようにして手袋１を構成することで、例えばゴルフにおいて移動中にプレイヤーが本発明の手袋１に手を入れておくことで指先を良好に温めることができ、指先の感覚を良好な状態で維持することができる。すなわち、図４に示すように、この実施の形態の手袋１においては、カイロ収容部２の外面と四指被覆部１４の爪側の内面１４ｃとの間、及び、カイロ収容部２の外面と四指被覆部１４の指の腹側の内面１４ｄとの間にそれぞれ指先部分Ｆの挿入を許容する空間Ｓ１，Ｓ２が確保されている。従って、指先部分Ｆをこれら２つの空間Ｓ１，Ｓ２のうち、いずれか一方の空間Ｓ１（Ｓ２）に選択的に差し入れることができるので、指先部分Ｆの表裏、つまり爪側と腹側のうち、優先的に温めたい方を直接カイロ収容部２の外面に当てることができる。
【００２５】
上記の実施の形態にあっては、カイロ収容部２は一室構造であって１個のカイロＡを収納するものであるが、本発明はこれに限定されず、例えば、図５に示すような構成であってもよい。
【００２６】
すなわち、図５に示す手袋においては、カイロ収容部２は、２個のカイロＡ１，Ａ２を個々に収容する第１室２５と第２室２６とを備えたものとし、これら第１室２５及び第２室２６は、それぞれ、四指被覆部１４内において爪側の内面１４ｃ及び指の腹側の内面１４ｄの両面１４ｃ，１４ｄに向かう方向に揺動可能に設けられている。第１室２５と四指被覆部１４の爪側の内面１４ｃとの間、第１室２５と第２室２６との間、及び第２室２６と四指被覆部１４の指の腹側の内面１４ｄとの間のいずれかに指先部分Ｆの挿入を許容する空間Ｓ５，Ｓ６，Ｓ７が選択的に確保された構成とされている。
【００２７】
この場合、指先部分Ｆを上記した３つの空間Ｓ５，Ｓ６，Ｓ７のうち、いずれか一つの空間に選択的に差し入れることができるので、指先部分の表裏のうちいずれか優先的に温めたい方を第１室２５又は第２室２６の外面に当てて温めることも、また、指先部分Ｆを第１室２５と第２室２６とで挟持し、指先部分Ｆ全体を温めることもできる。
【００２８】
また、上記の手袋においては、開閉手段をファスナ１３としているが、これ以外に、例えば面ファスナを採用してもよい。
【００２９】
開閉手段をファスナ１３又は面ファスナとした場合、四指被覆部１４の先端開口部１４ｂの開閉が簡単なものとなり、本手袋１をはめたままでももう片方の手で先端開口部１４の開閉を行うことができる。
【００３０】
なお、上述した実施形態は、あくまでも本発明の好適な実施態様を示すものであって、本発明はこれに限定されることなく、その範囲内において種々設計変更可能である。
【００３１】
例えば、開閉手段はファスナ３に限らず、先端開口部１４ｂを開閉することができる適宜な構成を採用すればよい。
【００３２】
また、手袋本体１１の掌被覆部１５の適当な部位にも他のカイロ収容部を設け、指先と一緒に掌や手の甲を温めるようにしてもよい。
【００３３】
また、本発明は、内部にカイロを収容可能なカイロ収容部を備え、手袋本体に手を入れた際に指先部分となる当該手袋本体の先端部にカイロ収容部が設けられるとともに、このカイロ収容部が手袋本体の先端に設けられた開閉手段により当該手袋本体の先端を通じて開閉自在に設けられた手袋であればよいから、上記の実施の形態のようにミトンタイプに限らず、５本の指すべてを一纏まりに被覆する一つの被覆部だけを設けた構成のものであってもよい。
【産業上の利用可能性】
【００３４】
この手袋は、ゴルフやバケットボール以外のスポーツの他、通勤や通学時、登山や釣り、或いは障害者の防寒具などとして広く全般に利用することができる。
【図面の簡単な説明】
【００３５】
【図１】本発明の手袋を示す斜視図である。
【図２】同じく手袋を示す断面図である。
【図３】先端を開放させた状態の手袋を示す斜視図である。
【図４】図２に示す手袋の使用状態を示し、（ａ）は指先部分の腹側をカイロ収納部に当てた状態を示す断面図、（ｂ）は指先部分の爪側をカイロ収容部に当てた状態を示す断面図である。
【図５】本発明の他の実施の形態に係る手袋を示し、（ａ）は指先部分をカイロ収容部の第１室と第２室との間に差し入れた状態を示す断面図、（ｂ）は指先部分の腹側をカイロ収納部の第１室に当てた状態を示す断面図、（ｃ）は指先部分の爪側をカイロ収容部の第２室に当てた状態を示す断面図である。
【符号の説明】
【００３６】
１  手袋
１１  手袋本体
１２  基端開口部
１３  親指被覆部
１４  四指被覆部
１４ａ  先端縁部
１４ｂ  先端開口部
１５  掌被覆部
２  カイロ収容部
２ａ  カイロ挿入口
２５  第１室
２６  第２室
３  ファスナ（開閉手段）
Ｓ１，Ｓ２，Ｓ５，Ｓ６，Ｓ７  空間
【手続補正３】
【補正対象書類名】図面
【補正対象項目名】図５
【補正方法】変更
【補正の内容】
【図５】
2007083712.tif 000009
【手続補正４】
【補正対象書類名】図面
【補正対象項目名】図６
【補正方法】削除
【補正の内容】
【国際調査報告】
2007083712.tif 000010
2007083712.tif 000011